(57)【要約】      （修正有）【課題】薄型化を図りながらもイオンを装置外へ効果的に拡散させ、かつ、吹出口からの吹出方向が略垂直方向となるように吹き出し得る送風装置を提供する。【解決手段】送風装置１は、一方面１０ａ側においてそれぞれ開口するように、かつ互いに隣り合うように設けられた吸込口１２及び吹出口１４と、これら吸込口と吹出口とを連通させる空気流通路２と、送風器２０とこの送風器２０の吹出部２２と対向するようにイオン吹出部２４を設けたイオン発生部２３と、を備えており、送風器２０の吹出部２２の下流側には、前記送風器２０の吹出部２２から吹き出された空気を前記吹出口１４に向けてガイドするガイド部１６，１７が設けられ、該ガイド部は、前記イオン吹出部２４側の分割流通路５の前記吹出口１４側における流速が他の分割流通路６，７の前記吹出口１４側における流速以上となるように設けられている。【選択図】図１
2014031946.tif 000002
【特許請求の範囲】
【請求項１】
一方面側においてそれぞれ開口するように、かつ互いに隣り合うように設けられた吸込口及び吹出口と、これら吸込口と吹出口とを連通させる空気流通路と、吹出部の吹出方向がこれら吸込口と吹出口との並設方向に沿う方向となるように前記空気流通路内に設けられた送風器と、この送風器の吹出部と対向するようにイオン吹出部を設けたイオン発生部と、を備えており、
前記空気流通路における前記送風器の吹出部の下流側には、前記吹出口を前記並設方向に分割するように前記吹出口に向けて延びるように形成され、前記送風器の吹出部から吹き出された空気を前記吹出口に向けてガイドするガイド部が設けられ、該ガイド部は、前記イオン吹出部側の分割流通路の前記吹出口側における流速が他の分割流通路の前記吹出口側における流速以上となるように設けられていることを特徴とする送風装置。
【請求項２】
請求項１において、
前記ガイド部は、前記イオン吹出部側の分割流通路の少なくとも前記吹出口側部位の前記並設方向に沿う通路幅が他の分割流通路の少なくとも前記吹出口側部位の前記並設方向に沿う通路幅以下となるように壁状に設けられていることを特徴とする送風装置。
【請求項３】
請求項２において、
前記壁状のガイド部を複数設けたことを特徴とする送風装置。
【請求項４】
請求項２または３において、
前記壁状のガイド部は、前記イオン吹出部側の分割流通路の前記通路幅が他の分割流通路の前記通路幅よりも幅狭となるように設けられていることを特徴とする送風装置。
【請求項５】
請求項１乃至４のいずれか１項において、
前記送風器の吹出部側における前記空気流通路の奥側面と前記吹出口の反吸込口側縁部とを接続するように凹湾曲面形状とされたガイド面部を更に設け、前記イオン発生部のイオン吹出部を、前記ガイド面部において開口するように設けたことを特徴とする送風装置。
【発明の詳細な説明】
【技術分野】
【０００１】
本発明は、イオンを発生するイオン発生部を設けた送風装置に関する。
【背景技術】
【０００２】
従来より、除菌や消臭作用等を有するイオンを発生するイオン発生部を設けた送風装置が知られている。近時においては、このような送風装置を、車や建材、住宅設備等に組み込むことが提案されている。このような場合には、組み込まれる対象に送風装置の組み込みスペースが必要となるが、組込対象自体の大きさに制限があり、また、車内スペースや建物内スペース等を有効に利用する観点等からも、小型で薄型のものが望まれる。
例えば、下記特許文献１では、車両用の空気清浄器が提案されている。この空気清浄器は、箱状の筐体の下面に、空気吸込口と空気吹出口とを隣り合うように設け、筐体内の空気吸込口の近傍に小型ファンを設け、筐体内の空気吹出口の近傍にマイナスイオン等を生成する放出型脱臭装置を設けた構成とされている。
【先行技術文献】
【特許文献】
【０００３】
【特許文献１】特開２００３−２９０３２６号公報
【発明の概要】
【発明が解決しようとする課題】
【０００４】
しかしながら、上記特許文献１に記載の空気清浄器では、ファンから吹き出された空気が放出型脱臭装置の放出部に直接的に当たり、マイナスイオン等の放出がスムーズになされず、筐体外へ効果的に拡散し難くなることが考えられる。また、比較的に薄型であるため、空気吹出口の上流側において奥行き方向に風路を長く確保し難く、ファンから吹き出された空気が空気吹出口から斜めに吹き出されることが考えられる。
【０００５】
本発明は、上記実情に鑑みてなされたものであり、薄型化を図りながらもイオンを装置外へ効果的に拡散させ、かつ、吹出口からの吹出方向が略垂直方向となるように吹き出し得る送風装置を提供することを目的としている。
【課題を解決するための手段】
【０００６】
上記目的を達成するために、本発明に係る送風装置は、一方面側においてそれぞれ開口するように、かつ互いに隣り合うように設けられた吸込口及び吹出口と、これら吸込口と吹出口とを連通させる空気流通路と、吹出部の吹出方向がこれら吸込口と吹出口との並設方向に沿う方向となるように前記空気流通路内に設けられた送風器と、この送風器の吹出部と対向するようにイオン吹出部を設けたイオン発生部と、を備えており、前記空気流通路における前記送風器の吹出部の下流側には、前記吹出口を前記並設方向に分割するように前記吹出口に向けて延びるように形成され、前記送風器の吹出部から吹き出された空気を前記吹出口に向けてガイドするガイド部が設けられ、該ガイド部は、前記イオン吹出部側の分割流通路の前記吹出口側における流速が他の分割流通路の前記吹出口側における流速以上となるように設けられていることを特徴とする。
【０００７】
本発明においては、前記ガイド部を、前記イオン吹出部側の分割流通路の少なくとも前記吹出口側部位の前記並設方向に沿う通路幅が他の分割流通路の少なくとも前記吹出口側部位の前記並設方向に沿う通路幅以下となるように壁状に設けてもよい。
また、本発明においては、前記壁状のガイド部を複数設けてもよい。
また、本発明においては、前記壁状のガイド部を、前記イオン吹出部側の分割流通路の前記通路幅が他の分割流通路の前記通路幅よりも幅狭となるように設けてもよい。
また、本発明においては、前記送風器の吹出部側における前記空気流通路の奥側面と前記吹出口の反吸込口側縁部とを接続するように凹湾曲面形状とされたガイド面部を更に設け、前記イオン発生部のイオン吹出部を、前記ガイド面部において開口するように設けてもよい。
【発明の効果】
【０００８】
本発明に係る送風装置は、上述のような構成としたことで、薄型化を図りながらもイオンを装置外へ効果的に拡散させることができ、吹出口からの吹出方向が略垂直方向となるように吹き出すことができる。
【図面の簡単な説明】
【０００９】
【図１】本発明の一実施形態に係る送風装置の一例を模式的に示し、図２（ａ）におけるＸ−Ｘ線矢視に対応させた一部省略概略横断面図である。
【図２】（ａ）は、同送風装置を模式的に示す概略斜視図、（ｂ）は、同送風装置を模式的に示す一部省略概略斜視図である。
【図３】同送風装置を組み込んだパネル体の一例を模式的に示す一部破断概略斜視図である。
【発明を実施するための形態】
【００１０】
以下に本発明の実施の形態について、図面に基づいて説明する。
図１〜図３は、本実施形態に係る送風装置の一例を模式的に示す図である。
なお、一部の図では、他図に付している詳細な符号の一部を省略している。
また、以下の実施形態では、送風装置をパネル体に組み込んだ状態で、送風装置の吸込口及び吹出口が設けられた面に対面した状態を基準として、手前側を前方、その逆側を後方とし、また、その状態を基準として、上下方向等の方向を原則的に説明する。
【００１１】
本実施形態に係る送風装置１は、図１及び図２（ａ）に示すように、一方面（前面）１０ａ側においてそれぞれ開口するように、かつ互いに隣り合うように設けられた吸込口１２と吹出口１４とを備えている。また、送風装置１は、これら吸込口１２と吹出口１４とを連通させる空気流通路２内に設けられた送風器２０と、空気流通路２に向けてイオンを吹き出すイオン発生部２３と、を備えている。
この送風装置１は、外郭形状が略直方体形状とされ、図例では、左右方向（吸込口１２と吹出口１４との並設方向に沿う方向）に長尺とされている。
また、送風装置１は、図２（ａ）、（ｂ）に示すように、本実施形態では、送風器２０及びイオン発生部２３を内蔵し、前方に開口したケーシング本体１５と、このケーシング本体１５の前方開口を覆うように設けられたカバー体１０と、を備えている。また、本実施形態では、このカバー体１０に、左右方向（長手方向）に互いに間隔を空けて吸込口１２と吹出口１４とを設けている。
【００１２】
また、送風装置１は、比較的に小型で、薄型とされており、本実施形態では、図３に示すように、パネル体８に組み込まれるものとしている。これらパネル体８と送風装置１とによって送風機能付パネル９を構成している。
パネル体８は、略矩形平板状とされており、図例では、送風装置１の吸込口１２及び吹出口１４が一方面側において開口するように、送風装置１を上端部に組み込んだ例を示している。このパネル体８には、送風装置１のケーシング本体１５（図２（ａ）も参照）が嵌め込まれるように取り付けられる取付凹所が設けられている。
このようなパネル体８としては、住居等の建物内に配設される扉体や、間仕切パネル、天井パネル等としてもよい。
【００１３】
カバー体１０は、略矩形平板状とされており、その長手方向一端部（図示右側端部）側に吸込口１２を設け、長手方向途中部位（図例では略中央部位）に吹出口１４を設けた構成とされている。これら吸込口１２と吹出口１４とは、比較的に互いに近接して設けられている。
図例では、これら吸込口１２及び吹出口１４を、正面視して略矩形状とし、ガラリやルーバー等によって構成している。また、図例では、これら吸込口１２及び吹出口１４の上下寸法（上記並設方向及び奥行方向（厚さ方向）に直交する方向の幅寸法）を概ね同寸法とし、これら吸込口１２及び吹出口１４を、互いの上下を概ね一致させて設けた例を示している。また、図例では、吸込口１２の左右寸法を、吹出口１４の左右寸法よりも大きくした例を示している。
また、カバー体１０は、図２（ａ）、（ｂ）に示すように、ケーシング本体１５の前方開口よりも上下及び左右に大きく形成されており、ケーシング本体１５の開口周縁に沿うようにケーシング本体１５に取り付けられる。このカバー体１０のケーシング本体１５への取付態様としては、ねじ等の止具や接着剤等によって取り付ける態様としてもよい。
【００１４】
また、本実施形態では、図１に示すように、吸込口１２の背面側に、フィルター１３を設けている。このフィルター１３は、塵埃等の捕捉性や脱臭性を有した活性炭等からなる脱臭フィルター１３としてもよい。
また、本実施形態では、吸込口１２を、ガラリやルーバー等からなる前カバー１１に設け、この前カバー１１に、フィルター１３を保持する保持部１１ａ，１１ａを設けている。この前カバー１１は、カバー体１０に設けられた開口に嵌め込まれるようにしてカバー体１０に着脱自在に取り付けられる構成とされている。このような構成によれば、前カバー１１を取り外すことでフィルター１３の清掃や交換等を容易に行うことができる。
【００１５】
なお、上記したような態様に代えて、吸込口１２をカバー体１０に直接的に設けるようにしてもよい。この場合は、カバー体１０をケーシング本体１５に対して着脱自在とした態様としてもよい。また、フィルター１３を吸込口１２の背面側に設けた態様に代えて、空気流通路２の送風器２０の上流側の適所等に設けた態様としてもよい。また、上記のようなフィルター１３に代えて、メッシュフィルター等の異物を捕捉するフィルターを設けるようにしてもよい。
また、これら吸込口１２及び吹出口１４を開閉する開閉蓋（開閉扉）を設けるようにしてもよい。
【００１６】
送風器２０は、図１に示すように、その吹出部２２の吹出方向が吸込口１２と吹出口１４との並設方向（図例では左右方向）に沿う方向となるように空気流通路２内に設けられている。図例では、送風器２０を、空気流通路２を空気流通方向（左右方向）に区分するようにカバー体１０の吸込口１２と吹出口１４との間の背面側に配設した例を示している。これら吸込口１２と吹出口１４との間の間隔は、少なくとも送風器２０が背面側に配設可能な寸法としてもよい。
また、この送風器２０の吸込部２１を、当該送風器２０によって区分された空気流通路２の一方側空間（図示右方側空間）となる吸込口１２の背面側空間３に向くように設けている。このような構成により、吸込口１２の背面側空間３は、空気流通路２における送風器２０の吸込部２１の上流側となる。
また、この送風器２０の吹出部２２を、当該送風器２０によって区分された空気流通路２の他方側空間（図示左方側空間）となる吹出口１４の背面側空間４に向くように設けている。このような構成により、吹出口１４の背面側空間４は、空気流通路２における送風器２０の吹出部２２の下流側となる。また、この送風器２０の吹出部２２を、吹出口１４の吸込口側（図示右側）縁部１４ｂ近傍の背面側に位置するように設けている。
【００１７】
このような送風器２０としては、軸方向を左右方向に沿わせるように、吸込部２１を右方（吸込口１２の背面側空間３）側に向けて開口させ、吹出部２２を左方（吹出口１４の背面側空間４）側に向けて開口させた軸流ファンとしてもよい。
また、送風器２０の配設態様としては、図例のような配設態様に限られず、少なくとも吹出部２２が吹出口１４の背面側空間４に向くような配設態様とすればよい。例えば、送風器２０として、シロッコファンやクロスフローファン等を採用した場合には、適宜、吸込側が吸込口１２の背面側空間３に向くように、吹出側が吹出口１４の背面側空間４に向くように配設するようにすればよい。また、このような送風器２０の種類等に応じて、送風器２０を吸込口１２の背面側空間３に配設するようにしてもよい。
また、図例では、単一の送風器２０を配設した例を示しているが、複数の送風器２０を配設するようにしてもよい。
【００１８】
ケーシング本体１５は、図１及び図２（ｂ）に示すように、天壁部１５ａ、底壁部１５ｂ、奥側壁部１５ｅ及び左右の側壁部１５ｃ，１５ｄを備え、前方に開口した箱形状とされている。
このケーシング本体１５の天壁部１５ａ及び底壁部１５ｂによって、空気流通路２の上下両側を区画し、一方の側壁部（図示右側の側壁部）１５ｃによって、空気流通路２の左右方向一方側（図示右方側、吸込口１２側）を区画している。また、カバー体１０によって、空気流通路２の手前側を区画している。
また、このケーシング本体１５の奥側壁部１５ｅは、空気流通路２の奥側を区画する奥側面を構成する。本実施形態では、この奥側壁部１５ｅの送風器２０の吹出部２２側部位と吹出口１４の反吸込口側（図示左側）縁部１４ａとを接続するように凹湾曲面形状とされたガイド面部を構成するガイド壁部１５ｆを設けている。
【００１９】
ガイド壁部１５ｆは、空気流通路２の奥側の一部及び左右方向他方側（図示左方側、吹出口１４側）を区画するように形成されている。
また、ガイド壁部１５ｆは、図例では、奥側壁部１５ｅの送風器２０の吹出部２２側部位に連なるように設けられており、その前端部が、吹出口１４の反吸込口側縁部１４ａ近傍のカバー体１０の背面に当接または近接するように形成されている。また、このガイド壁部１５ｆは、平面視して（上記並設方向及び奥行方向に直交する方向に見て）、吹出口１４の吸込口側縁部１４ｂ近傍を円心とした略円弧状に形成されている。
【００２０】
また、本実施形態では、カバー体１０の長手方向他端部（図示左側端部）側の背面側に、イオン発生部２３が収容される機器収容空間を設けている。本実施形態では、ケーシング本体１５に、他方の側壁部（図示左側の側壁部）１５ｄとガイド壁部１５ｆとを接続するように設けられた機器収容奥側壁部１５ｈを設けている。この機器収容奥側壁部１５ｈ、ガイド壁部１５ｆ、他方の側壁部１５ｄ、天壁部１５ａ、底壁部１５ｂ及びカバー体１０によって機器収容空間を区画している。
【００２１】
イオン発生部２３は、図１に示すように、そのイオン吹出部２４が、送風器２０の吹出部２２と対向するように設けられている。本実施形態では、このイオン発生部２３のイオン吹出部２４を、ガイド面部を構成するガイド壁部１５ｆにおいて開口するように設けている。ガイド壁部１５ｆには、このイオン吹出部２４を空気流通路２において開口させるように開口１５ｇが設けられている（図２（ｂ）も参照）。
また、本実施形態では、イオン発生部２３を、イオン吹出部２４の吹出方向が送風器２０の吹出部２２の吹出方向と交差し、かつ吹出口１４側に指向するように設けている。つまり、イオン吹出部２４を、送風器２０の吹出部２２と対向配置させながらも、その吹出方向と送風器２０の吹出部２２の吹出方向とが真逆方向とならないように配置している。
【００２２】
図例では、イオン吹出部２４を、その吹出方向が、当該送風装置１の長手方向に対して僅かに傾斜する方向となるように、僅かに吹出口１４側（前方側）に指向するように配置している。このイオン吹出部２４の吹出方向の吹出口１４側（前方側）への傾斜度合いは、送風装置１が組み込まれる対象や送風装置１の使用用途等に応じて設定される送風装置１自体の奥行寸法（前後寸法）や、イオン発生部２３自体の形状や奥行寸法等に応じて適宜、設定するようにすればよい。図例では、外郭形状が略直方体形状で比較的にイオン吹出部２４の吹出方向に沿って長尺とされたイオン発生部２３を例示しており、上記のような吹出方向となるように当該イオン発生部２３の長手方向をイオン吹出部２４の吹出方向に沿わせて機器収容空間に配設した例を示している。
【００２３】
また、本実施形態では、イオン発生部２３の奥側面が当接または近接配置される機器収容奥側壁部１５ｈを、イオン吹出部２４の吹出方向に沿うように傾斜形状としている。つまり、機器収容奥側壁部１５ｈを、他方の側壁部１５ｄからガイド壁部１５ｆに向かうに従い前方側に傾斜した形状としている。また、イオン発生部２３を、この機器収容奥側壁部１５ｈに沿わせるように当該送風装置１の長手方向に対して傾斜させて配設している。このような機器収容奥側壁部１５ｈを設けることで、イオン発生部２３の位置決めを容易に行え、イオン発生部２３を組み込む際等における作業性を向上させることができる。
【００２４】
また、このイオン発生部２３は、本実施形態では、除菌・消臭作用を有する帯電微粒子水を放出する静電霧化装置２３とされている。
この静電霧化装置２３は、詳細な図示は省略しているが、水粒子放出部とこれに対向する対向電極との間に高電圧を印加することで水粒子放出部の水分を霧化し、ナノメートルサイズの帯電微粒子水をイオン吹出部２４から放出する構成とされている。帯電微粒子水は、ナノメートルサイズ（例えば、５ｎｍ〜２０ｎｍ程度）の粒子径のものを含む帯電した微粒子液滴であり、空気中にミスト状態で浮遊可能なものである。
この静電霧化装置２３としては、水粒子放出部としてのピン状の放電電極（霧化電極）と、この放電電極に対向して配置され、放電電極と同軸状の開口を有してリング形状とされた対向電極とを備えたものとしてもよい。また、これら放電電極と対向電極との間に高電圧を印加することで放電現象を生じさせ、放電電極に保持された水分を静電霧化させることで、帯電微粒子水を電極間（イオン吹出部２４）から放出する構成とされたものとしてもよい。
【００２５】
上記放電電極（水粒子放出部）に水分を保持させる手段としては、放電電極の基端部に連結された冷却手段により、放電電極を冷却することで、放電電極廻りの空気に含まれる水分（水蒸気）を放電電極の表面に結露させて保持させるようにしてもよい。このような冷却手段としては、例えば、ペルチェ素子等としてもよい。この場合は、ペルチェ素子の冷却面に電気絶縁材を介して放電電極の基端部を連結し、また、ペルチェ素子の放熱面に放熱フィン等からなる放熱部を連結するようにしてもよい。
または、放電電極を多孔質セラミック等の多孔質体で構成し、この放電電極の基端部に、液体を貯留する液体供給部を接続し、この液体供給部からの液体を、放電電極の毛細管現象により吸い上げて、その先端部に水分を保持させる態様としてもよい。
なお、イオン発生部２３としては、このような静電霧化装置に限られず、除菌・消臭作用を有するイオンを放出するイオン発生器や、マイナスイオンを放出するマイナスイオン発生器等を採用するようにしてもよい。
【００２６】
また、このイオン発生部２３が設けられた部位等に、送風器２０やイオン発生部２３に駆動電源を供給し、これら送風器２０やイオン発生部２３を制御する各種回路等を内蔵した制御部を設けるようにしてもよい。また、このイオン発生部２３が設けられた部位の前面側等に、送風器２０やイオン発生部２３をＯＮ／ＯＦＦ操作する操作部を設けるようにしてもよい。また、これら送風器２０とイオン発生部２３とは、個別にＯＮ／ＯＦＦ操作が可能とされたものとしてもよく、または、同期してＯＮ／ＯＦＦされるものとしてもよい。また、当該送風装置１の吸込側の適所等に、臭いセンサーや埃センサー等の検出部を設け、該検出部の検出に基づいて送風器２０やイオン発生部２３のＯＮ／ＯＦＦ制御がなされるものとしてもよい。また、操作部にタイマー等を設け、送風器２０やイオン発生部２３をタイマー駆動可能とする態様としてもよい。
また、本実施形態のように、当該送風装置１を、パネル体８等に組み込まれるものとした場合には、上記のような制御部や操作部等を、送風装置１の組込対象側に設けるようにしてもよい。
【００２７】
また、本実施形態では、図１に示すように、空気流通路２における送風器２０の吹出部２２の下流側、つまり、吹出口１４の背面側空間４に、ガイド部１６，１７を設けている。このガイド部１６，１７は、吹出口１４を上記並設方向（図例では左右方向）に分割するように吹出口１４に向けて延びるように形成され、送風器２０の吹出部２２から吹き出された空気を吹出口１４に向けてガイドする構成とされている。また、このガイド部１６，１７は、イオン吹出部２４側の分割流通路（第１分割流通路）５の吹出口１４側における流速が他の分割流通路６，７の吹出口１４側における流速以上となるように設けられている。
また、ガイド部１６，１７は、送風器２０の吹出部２２からこの吹出部２２の吹出方向に見てイオン発生部２３のイオン吹出部２４を略遮蔽するように設けられている。
【００２８】
また、本実施形態では、ガイド部１６，１７を、イオン吹出部２４側の分割流通路５の少なくとも吹出口１４側部位の上記並設方向に沿う通路幅Ｗ１が他の分割流通路６，７の少なくとも吹出口１４側部位の上記並設方向に沿う通路幅Ｗ２，Ｗ３以下となるように壁状に設けている。つまり、ガイド部を、壁状ガイド部１６，１７としている。本実施形態では、図１に示すように、壁状ガイド部１６，１７を、イオン吹出部２４側の分割流通路５の通路幅Ｗ１が他の分割流通路６，７の通路幅Ｗ２，Ｗ３よりも幅狭となるように設けている。また、本実施形態では、複数（図例では、２つ）のガイド部としての壁状ガイド部１６，１７を設けており、イオン吹出部２４に近い側の第１壁状ガイド部１６とイオン吹出部２４に遠い側の第２壁状ガイド部１７とを設けた構成としている。つまり、これら壁状ガイド部１６，１７によって、吹出口１４の背面側空間４に、３つの分割流通路５，６，７を形成している。
【００２９】
これら壁状ガイド部１６，１７は、吹出口１４の背面側空間４内で、天壁部１５ａと底壁部１５ｂとの間に概ね亘るように設けられている（図２（ｂ）も参照）。つまり、これら壁状ガイド部１６，１７によって分割された各分割流通路５，６，７の上記並設方向及び奥行方向に直交する通路高さ（図例では上下寸法）は、互いに概ね同寸法とされている。つまりは、イオン吹出部２４側の分割流通路５の少なくとも吹出口１４側部位における流路面積が他の分割流通路６，７の流路面積以下となるように（本実施形態では、他の分割流通路６，７の流路面積よりも小さくなるように）これら壁状ガイド部１６，１７を設けている。
また、本実施形態では、これら壁状ガイド部１６，１７を、それぞれの吹出口１４側の端部（空気流通方向下流側端部、前端部）１６ｂ，１７ｂが吹出口１４よりも奥側に少許控えた位置となるように設けている。また、本実施形態では、イオン発生部２３のイオン吹出部２４を、これら壁状ガイド部１６，１７によって送風器２０の吹出部２２から吹出部２２の吹出方向に見て略遮蔽されるように吹出口１４の近傍に設けている。
図例では、これら壁状ガイド部１６，１７の互いの前端部１６ｂ，１７ｂを前後方向において概ね一致させた位置に設けている。なお、これら壁状ガイド部１６，１７の前端部１６ｂ，１７ｂの両方または一方を、吹出口１４の背面側に当接または近接させるように設けるようにしてもよい。
【００３０】
また、これら壁状ガイド部１６，１７は、送風器２０の吹出部２２からの気流を、吹出口１４に向けて誘導するような凹湾曲形状とされている。本実施形態では、これら壁状ガイド部１６，１７を、上記したガイド壁部１５ｆと略同心状の略円弧形状としている。
このような構成により、これら壁状ガイド部１６，１７は、それぞれの前端部１６ｂ，１７ｂから吹出口１４の背面側空間４の奥側に向かうに従い送風器２０の吹出部２２側に向けて湾曲するように延びるように設けられている。また、本実施形態では、これら壁状ガイド部１６，１７のそれぞれの空気流通方向上流側端部（後端部）１６ａ，１７ａは、送風器２０の吹出部２２との間に間隔を空けた位置に設けられている。図例では、第１壁状ガイド部１６の後端部１６ａと送風器２０の吹出部２２との間の間隔よりも、第２壁状ガイド部１７の後端部１７ａと送風器２０の吹出部２２との間の間隔を小さくした例を示している。
【００３１】
また、本実施形態では、これら壁状ガイド部１６，１７を、これらによって分割された分割流通路５，６，７のそれぞれの通路幅を、空気流通方向の全体に亘って概ね同寸法としている。
つまり、ガイド壁部１５ｆと第１壁状ガイド部１６とによって幅方向両側が区画された第１分割流通路５の通路幅を、空気流通方向の全体に亘って概ね同寸法としている。また、第１壁状ガイド部１６と第２壁状ガイド部１７とによって幅方向両側が区画された第２分割流通路６の通路幅を、空気流通方向の全体に亘って概ね同寸法としている。また、第２壁状ガイド部１７と送風器２０の吹出部２２近傍部位（吹出口１４の吸込口側縁部１４ｂ近傍部位）とによって幅方向両側が区画された第３分割流通路７の通路幅を、空気流通方向の全体に亘って概ね同寸法としている。
【００３２】
また、本実施形態では、これら壁状ガイド部１６，１７を、これらによって分割された分割流通路５，６，７の少なくとも吹出口１４側部位（本実施形態では、空気流通方向の全体）の通路幅Ｗ１，Ｗ２，Ｗ３がイオン吹出部２４から離れるに従い幅広となるように設けている。つまり、イオン吹出部２４に最も近い第１分割流通路５の通路幅Ｗ１よりもこの第１分割流通路５に隣接する第２分割流通路６の通路幅Ｗ２を幅広とし、この第２分割流通路６の通路幅Ｗ２よりもこの第２分割流通路６に隣接する第３分割流通路７の通路幅Ｗ３を幅広としている。
このような構成により、送風器２０の吹出部２２の下流側においては、送風器２０の吹出部２２から吹き出された空気が各分割流通路５，６，７に分割されて吹出口１４から吹き出されることとなる。また、この際、第１分割流通路５の通路幅Ｗ１が他の分割流通路６，７の通路幅Ｗ２，Ｗ３よりも幅狭であるので、この第１分割流通路５を経た気流の流速が他の分割流通路６，７を経た気流の流速よりも大きく（速く）なる。また、第２分割流通路６の通路幅Ｗ２が第３分割流通路７の通路幅Ｗ３よりも幅狭であるので、この第２分割流通路６を経た気流の流速が第３分割流通路７を経た気流の流速よりも大きく（速く）なる。つまり、本実施形態では、これら壁状ガイド部１６，１７によって分割された各分割流通路５，６，７を経た各気流の流速が、イオン吹出部２４から離れるに従って小さく（遅く）なるように構成している。
【００３３】
なお、これら壁状ガイド部１６，１７は、ケーシング本体１５に一体的に設けるようにしてもよく、または、ケーシング本体１５に組み込まれる壁部材等に設けるようにしてもよい。このような壁部材としては、ケーシング本体１５の天壁部１５ａに当接または近接して配設される天板部と、ケーシング本体１５の底壁部１５ｂに当接または近接して配設される底板部と、を備えたものとしてもよい。そして、これら壁状ガイド部１６，１７を、それぞれの上下端部を壁部材の天板部及び底板部に接続するように該壁部材に設けるようにしてもよい。
また、このような壁部材やケーシング本体１５、カバー体１０は、合成樹脂系材料や金属系材料から上記形状にそれぞれ形成されたものとしてもよい。また、少なくともイオン吹出部２４から吹き出されたイオンが接触する可能性のある壁面を、帯電防止性を有したものとしてもよい。このような各面への帯電防止性の付与は、各構成部材自体を、帯電防止性を有した材料からなるものとしたり、各面に、帯電防止剤を含有した塗料を塗布若しくは帯電防止剤を含有した樹脂シート等を貼着したりすることで付与するようにしてもよい。
【００３４】
また、上記した例では、空気流通路２を区画し、送風器２０及びイオン発生部２３を内蔵するケーシングとして、ケーシング本体１５とその前方開口を覆うカバー体１０とを備えたものを例示しているが、このような態様に限られない。例えば、ケーシング本体１５を、前方側ではなく、後方側や上方側に開口したもの等とし、その開口を覆うカバー体１０を備えたものとしてもよい。または、このようなケーシング本体１５とカバー体１０とを一体的に形成したような態様としてもよい。
【００３５】
本実施形態に係る送風装置１は、上記のような構成としたことで、薄型化を図りながらもイオンを送風装置１外へ効果的に拡散させることができ、吹出口１４からの吹出方向が略垂直方向（当該送風装置１の前面１０ａに対して略法線方向）となるように吹き出すことができる。
つまり、吹出部２２の吹出方向が吸込口１２と吹出口１４との並設方向に沿う方向となるように空気流通路２内に送風器２０を設け、イオン発生部２３のイオン吹出部２４を、この送風器２０の吹出部２２と対向するように設けている。従って、イオン発生部２３のイオン吹出部２４を吹出口１４に向けて開口するように、イオン発生部２３を送風器２０や吹出口１４の奥側に設けた場合と比べて、当該送風装置１の奥行寸法を小さくすることができ、薄型化を図ることができる。
【００３６】
また、空気流通路２における送風器２０の吹出部２２の下流側に、吹出口１４を並設方向に分割するように吹出口１４に向けて延びるように形成され、送風器２０の吹出部２２から吹き出された空気を吹出口１４に向けてガイドするガイド部（壁状ガイド部）１６，１７を設けている。従って、上記のように薄型化を図ることが可能でありながらも、イオン発生部２３のイオン吹出部２４から吹き出されたイオンを送風装置１外へ効果的に拡散させることができる。つまり、イオン発生部２３のイオン吹出部２４を送風器２０の吹出部２２と対向するように設けた構造としながらも、ガイド部１６，１７によって送風器２０の吹出部２２から吹き出された空気がイオン発生部２３のイオン吹出部２４に直接的（直線状）に当るようなことが抑制される。これにより、イオン発生部２３のイオン吹出部２４から吹き出されたイオンを送風器２０からの気流に乗せて吹出口１４から送風装置１外へ効果的に拡散させることができる。また、送風器２０から吹き出された空気を、このガイド部１６，１７によってガイドし、吹出口１４からの吹出方向が略垂直方向となるように吹き出すことができる。
また、このガイド部１６，１７を、イオン吹出部２４側の分割流通路（第１分割流通路）５の吹出口１４側における流速が他の分割流通路６，７の吹出口１４側における流速以上となるように設けているので、吹出口１４からの吹出方向が略垂直方向となるように効果的に吹き出すことができる。つまり、送風器２０の吹出部２２側の他の分割流通路６，７の吹出口１４側における流速が送風器２０の吹出部２２から遠い第１分割流通路５の吹出口１４側における流速よりも大きくなるようなことがない。これにより、吹出口１４から吹き出される吹出方向が斜めになり難くなり、吹出口１４からの吹出方向が略垂直方向となるように効果的に吹き出すことができる。
【００３７】
また、本実施形態では、ガイド部１６，１７を、第１分割流通路５の少なくとも吹出口１４側部位の通路幅Ｗ１が他の分割流通路６，７の少なくとも吹出口１４側部位の通路幅Ｗ２，Ｗ３以下となるように壁状に設けている。上記のように、第１分割流通路５の吹出口１４側における流速を、他の分割流通路６，７の吹出口１４側における流速以上とするためには、ガイド部を以下のように形成することも考えられる。例えば、イオン吹出部２４側の分割流通路の断面形状（つまりは流路面積）が吹出口１４に向けて徐々に先細り状となるように筒状のガイド部を設けたり、他の分割流通路の断面形状（つまりは流路面積）が吹出口に向けて徐々に拡開状となるように筒状のガイド部を設けることも考えられる。このような構成とした場合と比べて、本実施形態によれば、簡易な構造の壁状ガイド部１６，１７によって、第１分割流通路５の吹出口１４側における流速を、他の分割流通路６，７の吹出口１４側における流速以上とすることができる。
【００３８】
また、本実施形態では、複数の壁状ガイド部１６，１７を設けているので、これらによって送風器２０から吹き出された空気を、より効果的に吹出口１４に向けてガイドすることができる。また、これら複数の壁状ガイド部１６，１７のガイド作用により、より効果的に吹出口１４からの吹出方向が略垂直方向となるように吹き出すことができる。
また、本実施形態では、壁状ガイド部１６，１７を、第１分割流通路５の通路幅Ｗ１が他の分割流通路６，７の通路幅Ｗ２，Ｗ３よりも幅狭となるように設けている。従って、イオン吹出部２４側、つまり、送風器２０の吹出部２２から遠い側の第１分割流通路５の吹出口１４側における流速を大きくすることができ、より効果的に吹出口１４からの吹出方向が略垂直方向となるように吹き出すことができる。つまりは、第１分割流通路５の吹出口１４側における流速を、他の分割流通路６，７の吹出口１４側における流速よりも大きくなるように構成している。これにより、送風器２０の吹出部２２から上記並設方向に吹き出され、当該送風装置１の一方面（前面）１０ａから吹出部２２の吹出方向斜め前方側に吹き出されようとする気流を、流速の大きい第１分割流通路５を経た気流によって前方側、すなわち、略垂直方向となるように、より効果的に規制することができる。
また、本実施形態では、複数の壁状ガイド部１６，１７を設け、これら壁状ガイド部１６，１７を、これらによって分割された分割流通路５，６，７の少なくとも吹出口１４側部位（本実施形態では、空気流通方向の全体）の通路幅Ｗ１，Ｗ２，Ｗ３がイオン吹出部２４から離れるに従い幅広となるように設けている。従って、壁状ガイド部１６，１７によって分割された分割流通路５，６，７を経た流速が、イオン発生部２４から離れるに従い小さくなることとなり、より効果的に吹出口１４からの吹出方向が略垂直方向となるように吹き出すことができる。
【００３９】
また、本実施形態では、送風器２０の吹出部２２側における空気流通路２の奥側面（奥側壁部）１５ｅと吹出口１４の反吸込口側縁部１４ａとを接続するように凹湾曲面形状とされたガイド面部（ガイド壁部）１５ｆを設けている。従って、例えば、このようなガイド壁部１５ｆを設けていない場合と比べて、送風器２０の吹出部２２から吹き出された空気をスムーズに吹出口１４に向けてガイドすることができる。これにより、空気流通路２内における送風器２０の吹出側の圧力損失を抑制することができ、送風効率を向上させることができる。
また、イオン発生部２３のイオン吹出部２４を、ガイド壁部１５ｆにおいて開口するように設けている。従って、このガイド壁部１５ｆに沿うようにガイドされて吹出口１４に向かう送風器２０からの気流方向に対して交差する方向にイオン発生部２３のイオン吹出部２４からイオンが吹き出されることとなる。これにより、この気流に乗せてイオン発生部２３のイオン吹出部２４から吹き出されたイオンを送風装置１外へより効果的に拡散させることができる。
また、本実施形態では、このガイド壁部１５ｆと壁状ガイド部１６，１７とを略同心状の略円弧形状としているので、送風器２０の吹出部２２から吹き出された空気をより効果的にかつスムーズに吹出口１４に向けてガイドすることができる。また、より効果的に吹出口１４からの吹出方向が略垂直方向となるように吹き出すことができる。
なお、このようなガイド壁部１５ｆを設けないようにしてもよい。この場合は、吹出口１４の背面側空間４の奥側及び左方側を、奥側壁部１５ｅ及びこの奥側壁部１５ｅに略直交するように前方側に向けて設けられた側壁部によって区画するような態様としてもよい。
【００４０】
また、本実施形態では、イオン発生部２３を、イオン吹出部２４の吹出方向が送風器２０の吹出部２２の吹出方向と交差し、かつ吹出口１４側に指向するように設けている。従って、イオン発生部２３のイオン吹出部２４と送風器２０の吹出部２２とを対向配置した構造でありながらも、イオン発生部２３のイオン吹出部２４からのイオンが吹出口１４側に吹き出されることとなるため、より効果的にイオンを送風装置１外へ拡散させることができる。なお、このような態様に代えて、例えば、イオン吹出部２４の吹出方向と送風器２０の吹出部２２の吹出方向とが真逆方向となるようにイオン発生部２３を設けたり、イオン吹出部２４の吹出方向を、僅かに反吹出口１４側に指向するようにイオン発生部２３を設けたりしてもよい。
【００４１】
また、本実施形態では、イオン発生部２３のイオン吹出部２４を吹出口１４の近傍に設けているので、イオン発生部２３のイオン吹出部２４から吹き出されたイオンを、より効果的に送風装置１外へ拡散させることができる。また、壁状ガイド部１６，１７をその吹出口１４側の端部（前端部）１６ｂ，１７ｂが吹出口１４よりも奥側に少許控えた位置となるように設けている。従って、例えば、壁状ガイド部１６，１７（特に第１壁状ガイド部１６）を吹出口１４に略至るまで設けた場合と比べて、各壁状ガイド部１６，１７の送風器２０側の分割流通路６，７を流れて吹出口１４に向かう空気にもイオンを拡散させ易くなり、イオンを送風装置１外へより効率的に拡散させることができる。
なお、このようにイオン発生部２３のイオン吹出部２４を吹出口１４の近傍に設けた態様に代えて、イオン吹出部２４を、吹出口１４の背面側空間４の奥行方向途中部位や奥側部位等に設けるようにしてもよい。
【００４２】
なお、本実施形態では、壁状ガイド部１６，１７の後端部を送風器２０の吹出部２２との間に間隔を空けた位置に設け、壁状ガイド部１６，１７によって分割された分割流通路５，６，７のそれぞれの通路幅を空気流通方向の全体に亘って概ね同寸法とした例を示しているが、このような態様に限られない。分割流通路５，６，７の吹出口１４側における流速が上記のような条件を充足するものであればよく、送風器２０の構成等に応じて、適宜、変形するようにしてもよい。例えば、第１分割流通路５の吹出口１４側における流速が他の分割流通路６，７の吹出口１４側における流速よりも大きくなるように、第１分割流通路５の吹出口１４側部位の通路幅Ｗ１よりも、第１分割流通路５の送風器２０の吹出部２２側部位の通路幅を大きくするようにしてもよい。また、第２分割流通路６や第３分割流通路７の吹出口１４側における流速が第１分割流通路５の吹出口１４側における流速よりも小さくなるように、第２分割流通路６や第３分割流通路７の吹出口１４側部位の通路幅Ｗ２，Ｗ３よりも、第２分割流通路６や第３分割流通路７の送風器２０の吹出部２２側部位の通路幅を小さくするようにしてもよい。
【００４３】
また、本実施形態では、ガイド部１６，１７を、壁状とした例を示しているが、このような態様に限られない。例えば、上記したように、第１分割流通路５の吹出口１４側における流速が他の分割流通路６，７の吹出口１４側における流速よりも大きくなるように、第１分割流通路５の断面形状（つまりは流路面積）を吹出口１４に向けて徐々に先細り状にする筒状のガイド部としてもよい。また、第２分割流通路６や第３分割流通路７の吹出口１４側における流速が第１分割流通路５の吹出口１４側における流速よりも小さくなるように、第２分割流通路６や第３分割流通路７の断面形状（つまりは流路面積）を吹出口１４に向けて徐々に拡開状にする筒状のガイド部としてもよい。その他、種々の形状とされたガイド部の採用が可能である。
【００４４】
また、本実施形態では、第１分割流通路５の吹出口１４側における流速が他の分割流通路６，７の吹出口１４側における流速よりも大きくなるように構成した例を示しているが、これら各分割流通路５，６，７の吹出口１４側における流速が略同一となるようにしてもよい。
また、本実施形態では、複数のガイド部（壁状ガイド部）１６，１７として、２つのガイド部（壁状ガイド部）１６，１７を設けた例を示しているが、単一または３つ以上のガイド部を設けた態様としてもよい。
また、上記した例では、送風装置１を、パネル体８に組み込んだ例を示しているが、このような態様に限られない。当該送風装置１の組込対象としては、パネル体８以外の建材や、住宅設備、車等としてもよく、その他、種々の組込対象に組み込むことが可能である。さらには、当該送風装置１を、このような組込対象に組み込まれるものとせずに、単体で使用される送風装置１としてもよい。この場合は、当該送風装置１のケーシング（ケーシング本体１５及びカバー体１０）の外郭形状等を適宜、変形するようにしてもよい。
【符号の説明】
【００４５】
１        送風装置
２        空気流通路
５        第１分割流通路（イオン吹出部側の分割流通路）
６        第２分割流通路（他の分割流通路）
７        第３分割流通路（他の分割流通路）
１０ａ    前面（一方面）
１２      吸込口
１４      吹出口
１４ａ    吹出口の反吸込口側縁部
１５ｅ    奥側壁部（奥側面）
１５ｆ    ガイド壁部（ガイド面部）
１６      第１壁状ガイド部（壁状のガイド部、ガイド部）
１７      第２壁状ガイド部（壁状のガイド部、ガイド部）
２０      送風器
２２      吹出部
２３      イオン発生部
２４      イオン吹出部
Ｗ１      第１分割流通路の通路幅（少なくとも吹出口側部位の並設方向に沿う通路幅）
Ｗ２      第２分割流通路の通路幅（少なくとも吹出口側部位の並設方向に沿う通路幅）
Ｗ３      第３分割流通路の通路幅（少なくとも吹出口側部位の並設方向に沿う通路幅）
【図１】
2014031946.tif 000003
【図２】
2014031946.tif 000004
【図３】
2014031946.tif 000005